(57)【要約】 【課題】2012年現在、近年、持ち歩く電子機器やその周辺アクセサリーの種類が増え、カバンに収納すると、小物のアクセサリーは底に溜まり膨らむ。取り出しもスムースでない。それらをカバンの中に一様に整然と収納できて、膨らまず、スムースに取り出せる、そのような構造が望ましいが、人それぞれ所持品も異なり、コストの制約もあって、多くの種類のニーズに対応できない。【解決手段】の収納ポケットを設けた仕切り板からなる整理収納用具を、カバンとは別にカバンのアフターマーケット商品として多種類供給することで、多様な要望を満足する。【選択図】図１
2014110834.tif 000002
【特許請求の範囲】
【請求項１】
｛収納ポケット｝とは、｛携帯型電子装置、それらの付属品、筆記用具、手帳、化粧用具、財布、小銭、名刺｝などの、通常カバンの中に入れて持ち歩く小物類を｛分類し収納する｝機能であるとし、
｛任意のサイズ｝とは、｛収納ポケット｝の｛入口の縦横と深さの寸法｝が｛収納ポケット｝として機能する範囲で任意であるとし、
｛任意の種類｝とは、｛収納ポケット｝の｛素材、形状、挿入口のカバーの有無、挿入口のカバーに｛ファスナ、面ファスナ、ホック、ボタン｝の有無、色調｝の仕様に関し、｛収納ポケット｝として機能する範囲で、任意であるとし、
｛任意の位置｝とは、｛収納ポケット｝が位置する場所が｛収納ポケット｝とし機能する範囲で任意であるとし、
｛任意の数｝とは、｛任意のサイズ｝と｛任意の種類｝の組み合わせが一個または特定の複数個であるとし、
カバンの収納スペースを仕切る機能を持つ｛プラスティックまたは金属または木または｛木や紙の合成材｝｝を主要な素材とする板状の芯材を｛芯材｝とし、
｛｛芯材｝もしくは｛｛芯材｝を布で覆ったもの｝｝を｛仕切り板｝とし、
｛仕切り板｝の片面もしくは両面に、｛｛任意の数｝の｛任意の種類｝の｛収納ポケット｝｝を｛｛任意の位置｝に設けた｛収納ポケット｝｝を有することを第１の特徴とし、
｛｛収納ポケット｝を有する｛仕切り板｝｝を｛収納整理用具｝とし、
｛収納整理用具｝そのものが特定のカバンとは別の｛アフターマーケット商品である｝ことを第２の特徴とし、
第１と第２の特徴を有するカバン用｛収納整理用具｝。
【発明の詳細な説明】
【技術分野】
【０００１】
カバンの商品企画、カバンのデザイン、カバンの仕切り、カバンの｛収納ポケット｝
【０００２】
本明細書の請求項を含む全文を通じ下記の用語について定義する。
請求項で定義された用語は明細書でも同様とする。
｛｝内は｛｝外に優先して意味を持つものとする。
【背景技術】
【０００３】
手提げカバンや旅行カバンやバックパックの設計の際、｛機能性をどのレベルにとどめるか｝という課題は｛その商品に課せられたコスト｝とのバランスの関係で、総合的な商品企画の観点から一線を引いて決定しなければならない。
【発明の概要】
【発明が解決しようとする課題】
【０００４】
どのようなカバンでも一般的に、下記の課題を持つ。
第１に、必ず利点欠点がある。
第２に、｛使う人によっても、四季を通じても、日常的にも｝多様に異なる収納品に対応しきれない。
第３に、例えば、モバイルパーソナルコンピュータでは、その電源、補助メモリ、補助接続ケーブル、などの周辺の用具が常時必要な場合がある。スマートフォンでは、その充電器具、予備電源、接続ケーブル、などの周辺の用具を携帯しなければならないケースが多い。これらの用具をカバンの同じ｛収納ポケット｝に入れると底に固まり、カバンの局所が膨らむばかりでなく、目的のものを取り出す場合も、全てのものを取り出して、その中から一つを取り出す必要があり、面倒である。
第４に、第３の理由により、整理がつかないことから、出かける際、不足のものがあっても気づかないという原因にもなる。
第５に、｛第３、第４｝の理由により、｛確認や取り出し｝に時間を無駄にすることも多い。
第６に、｛第３、第４、第５｝の理由により、｛持ち物をカバンへ整然と収納できない｝｛カバンの中の必要なものを容易に見つけられない｝ことには、ストレスを感じる。
【０００５】
一人の消費者が｛様々な工夫がなされていて、最も都合の良い構造のカバン｝を一つ選んだとしても、その人の、その時の、要望の全てを満足できるものではない。購入した商品をできるだけ効率良く使い、満足できないところはやむを得ない。一般的に、収納に関して使い勝手の良いカバンは高価でサイズも大きいものが多い。
【課題を解決するための手段】
【０００６】
カバンの部品である、｛収納用具｝としての｛仕切り板｝と｛収納ポケット｝をカバンとは別の商品とする。
｛｛カバンの本体の構造、持ち運びの利便さ、強度｝など大雑把な機能性｝と｛｛そのカバンにどのような小物をどれだけどこに収納するか｝という詳細な機能性｝二種類の課題は、ほとんど無関係であるという点に着目し、｛カバンとしての大雑把な機能性｝と｛収納としての詳細な機能性｝の双方を切り離して別商品とする。消費者にとって｛都合の良いカバンの選択｝と｛都合の良い収納構造の選択｝を可能とする。
【０００７】
請求項１は｛カバンに収納できる構造｝を持つところの｛カバン内への収納品｝の｛収納整理用具｝であって、特定の種類のカバンの収納構造に関するものではない。本案発明の｛収納整理用具｝は、｛カバンとは別の仕様の商品｝であり、｛カバンとは異なる商品｝であり、｛カバンとは別に販売される商品｝である。
｛収納整理用具｝はカバン内に収められ、その｛収納ポケット｝に、小物品が収納される。｛収納ポケット｝は一般的には多数あって、小物品を小分けして収納する。
【発明の効果】
【０００８】
第１に、モバイル電子機器の周辺アクセサリーなどの小物品を小分けして収納できることから、カバンの局所に溜まることもなく、収納も取り出しも便利が良い。
第２に、第１の理由により、カバン内の整理がつくことから、収納物の有無の確認が容易である。
第３に、｛第１、第２｝の理由により、｛確認や取り出し｝に時間節約ができる。
第４に、｛第１、第２、第３｝の理由により、収納や取り出しの際のストレスも無くなる。
第５に、カバン本体の細かい収納構造に工夫を加える必要がなくなり、カバン本体を運搬用具としての大まかなサイズ、重量、強度、持ち運び構造、大まかな仕切り、などに重点を置いた設計や商品企画が可能となる。
第６に、｛使う人によっても、四季を通じても、日常的にも｝目的にかなった、しかもカバンより遙かに安価な｛収納整理用具｝の選択購入が可能となる。
【図面の簡単な説明】
【０００９】
【図１】、
【図２】、
【図３】、
【図４】、
【図５】は本案発明の一実施例を示す。
【発明を実施するための最良の形態】
【００１０】
第１に、｛不特定のカバン｝用｛収納整理用具｝としての汎用商品
第２に、多様なサイズで、多様な｛収納ポケット｝を持つ、｛収納整理用具｝としての多様な商品群。
【実施例】
【００１１】
図1、図２、図３、図４、図５は実施例の概略図を示す。
１は｛仕切り板｝、２１、２２、２３、２４、２５、２６、２７、２８はそれぞれ｛収納ポケット｝である。
図１は幅が広く背の低い｛仕切り板｝に３個の浅い｛収納ポケット｝が付いている例を示す。
図２は幅が広く背の高い｛仕切り板｝の上段に５個の浅い｛収納ポケット｝が付いている例を示す。
図３は幅が広く背の高い｛仕切り板｝の上段に５個と下段に３個の浅い｛収納ポケット｝が付いている例を示す。
図４は幅が広く背の高い｛仕切り板｝の片側に3個の深い｛収納ポケット｝と上段に５個の浅い｛収納ポケット｝が付いている例を示す。
図５は幅が狭く背の高い｛仕切り板｝の上段と中段と下段のそれぞれに浅い｛収納ポケット｝が各1個付いている例を示す。
｛仕切り板｝の｛材質、サイズ、形状｝については本案発明の本質ではない。
｛収納ポケット｝の｛材質、形状、蓋の有無、蓋のロック機構の種類と有無｝については本案発明の本質ではない。
【符号の説明】
【００１２】
１は   仕切り板
２１は 収納ポケット
２２は 収納ポケット
２３は 収納ポケット
２４は 収納ポケット
２５は 収納ポケット
２６は 収納ポケット
２７は 収納ポケット
２８は 収納ポケット
【図１】
2014110834.tif 000003
【図２】
2014110834.tif 000004
【図３】
2014110834.tif 000005
【図４】
2014110834.tif 000006
【図５】
2014110834.tif 000007